Podtech/llm-jp-corpus-v4-ja_patent huggingface dataset:
【手続補正書】
【提出日】平成28年10月27日(2016.10.27)
【手続補正１】
【補正対象書類名】特許請求の範囲
【補正対象項目名】全文
【補正方法】変更
【補正の内容】
【特許請求の範囲】
【請求項１】
ガスタービン作動を表す信号を通信するように構成されたセンサと、
前記センサに通信可能に結合されたコントローラと、
前記ガスタービン作動を表す１又は２以上の入力と排気ガス再循環を備えたガスタービンシステムにおける測定当量比とを受け取るように構成された量論的モデルであって、前記コントローラが、前記信号を該１又は２以上の入力に変形し、かつ該量論的モデルを用いて目標当量比に基づいて作動信号を導出するように構成されている前記量論的モデルと、を備えている、
ことを特徴とするシステム。
【請求項２】
前記コントローラは、測定燃焼生成物を用いることによって前記測定当量比を導出するように構成されている、
請求項１に記載のシステム。
【請求項３】
前記コントローラは、
前記測定当量比を前記目標当量比と比較して等量誤差を計算し、かつ
前記等量誤差を用いることによって前記作動信号を導出するように構成されている、
請求項１に記載のシステム。
【請求項４】
前記コントローラは、前記作動信号を導出して約０．９５から１．０５の燃焼のための当量比を可能にするように構成されている、
請求項１に記載のシステム。
【請求項５】
前記量論的モデルは、化学モデル、ファジー論理モデル、及びエキスパートシステムモデル、ニューラルネットワークモデル、又はこれらの組み合わせを含む、
請求項１に記載のシステム。
【請求項６】
前記化学モデルは、酸化剤との燃料の量論的燃焼を導出するように構成された化学方程式を含む、
請求項５に記載のシステム。
【請求項７】
前記センサは、ラムダメータを含み、前記信号は、酸素／燃料比を表す、
請求項１に記載のシステム。
【請求項８】
前記センサは、分光センサを含み、前記信号は、燃焼火炎の化学組成、燃料の化学組成、酸化剤の化学組成、希釈剤の化学組成、又はこれらの組み合わせを表す、
請求項１に記載のシステム。
【請求項９】
前記１又は２以上の入力は、温度、全排気に対するパーセント再循環排気、燃料組成、圧縮機排出温度（ＴＣＤ）、比湿、又はこれらの組み合わせを含む、
請求項１に記載のシステム。
【請求項１０】
排気ガス（ＥＧ）プロセスシステムを含み、
前記パーセント再循環排気は、前記ＥＧプロセスシステムによって提供される、
請求項９に記載のシステム。
【請求項１１】
前記センサに通信可能に結合された前記ガスタービンシステムを含み、
前記ガスタービンシステムは、量論的排気ガス再循環（ＳＥＧＲ）ガスタービンエンジンを備えている、
請求項１に記載のシステム。
【請求項１２】
ガスタービンシステムの作動を感知する段階と、
前記ガスタービンシステムの前記作動を表すセンサ信号を送信する段階と、
前記センサ信号をモデル入力に変換する段階と、
前記モデル入力を量論的モデル内に通信する段階と、
前記量論的モデルを用いて目標当量比を導出する段階と、
前記目標当量比を測定当量比と比較する段階と、
前記目標当量比を前記測定当量比と比較する前記段階に基づいて作動信号を導出する段階と、
前記作動信号をアクチュエータに送信して前記ガスタービンシステムの少なくとも１つのパラメータを制御する段階と、を有している、
ことを特徴とする方法。
【請求項１３】
前記目標当量比を前記測定当量比と比較する段階は、当量比誤差を導出する段階と該当量比誤差を用いて補正係数を導出する段階とを有している、
請求項１２に記載の方法。
【請求項１４】
測定燃焼生成物を用いることによって前記測定当量比を導出する段階を有している、
請求項１２に記載の方法。
【請求項１５】
前記量論的モデルを用いる段階は、化学モデルを用いる段階を有している、
請求項１２に記載の方法。
【請求項１６】
前記化学モデルは、量論的燃焼方程式を含むことを特徴とする請求項１５に記載の方法。
【請求項１７】
前記量論的燃焼方程式は、燃料＋酸素→熱＋水＋二酸化炭素方程式を含む、
請求項１６に記載の方法。
【請求項１８】
前記量論的燃焼方程式は、ＣxＨy＋（ｘ＋ｙ／４）Ｏ2＋３．７６（ｘ＋ｙ／４）Ｎ2→ｘＣＯ2＋（ｙ／２）Ｈ2Ｏ＋３．７６（ｘ＋ｙ／４）を含む、
請求項１６に記載の方法。
【請求項１９】
前記ガスタービンエンジンの作動を感知する段階は、分光センサを用いて燃焼火炎の化学組成、燃料の化学組成、酸化剤の化学組成、希釈剤の化学組成、又はこれらの組み合わせを感知する段階を有している、
請求項１２に記載の方法。
【請求項２０】
前記ガスタービンシステムの作動を感知する段階は、ラムダメータを用いて酸素／燃料比を測定する段階を有している、
請求項１２に記載の方法。
【請求項２１】
前記モデル入力は、温度、全燃料吸入に対するパーセント冷却流体、燃料化学組成、圧縮機排出温度（ＴＣＤ）、比湿、又はこれらの組み合わせを含む、
請求項１２に記載の方法。
【請求項２２】
前記作動信号は、約０．９５と１．０５の間の燃焼のための当量比を可能にするように構成されている、
請求項１２に記載のモデル。
【請求項２３】
前記ガスタービンシステムは、二酸化炭素を原油二次回収（ＥＯＲ）システムに供給するように構成された量論的排気ガス再循環（ＳＥＧＲ）ガスタービンエンジンを有している、
請求項１２に記載の方法。
【手続補正書】
【提出日】平成28年10月7日(2016.10.7)
【手続補正１】
【補正対象書類名】明細書
【補正対象項目名】００１７
【補正方法】変更
【補正の内容】
【００１７】
エステルの転化率に依存して、本発明による米糠ワックス酸化物は、真性エステル（Ｃ４６−Ｃ６２）を６５重量％未満、好ましくは５０重量％未満、特に好ましくは４０重量％未満の量で含む。ここで「真性エステル」とは、粗製ワックス中に元々含まれていたワックスエステルのうちの転化により捕捉されなかった残留割合を意味する。更に、本発明による米糠ワックス酸化物は、脂肪族α，ω−ジカルボン酸（Ｃ１０〜Ｃ３２）を転化率に依存して５〜１５重量％の少量で含む。加えて、本発明による米糠ワックス酸化物は、脂肪族アルカノール（Ｃ２４〜Ｃ３６）も少量含む場合がある。
【手続補正書】
【提出日】平成28年10月11日(2016.10.11)
【手続補正１】
【補正対象書類名】特許請求の範囲
【補正対象項目名】全文
【補正方法】変更
【補正の内容】
【特許請求の範囲】
【請求項１】
式Ｉ
【化１】
2015536307.tif 000001
式中、
Ｒ１およびＲ２は、独立して、水素、任意選択で置換される脂肪族、任意選択で置換されるアリール、および任意選択で置換されるヘテロアリールからなる群から選択され、ここでＲ１およびＲ２は同時に水素ではなく；または、Ｒ１およびＲ２はそれらの介在原子と一緒になって、任意選択で置換される３〜７員飽和炭素環式もしくはヘテロ環式の環を形成し、ここでＲ１およびＲ２によって形成される前記環は、アリールもしくはヘテロアリール環と任意選択で縮合し得；
Ｒ３は、水素、ハロ、−ＣＮ、−ＮＯ２、任意選択で置換される脂肪族、任意選択で置換されるフェニル、任意選択で置換されるヘテロシクリル、任意選択で置換されるヘテロアリール、−ＯＲＡ、−Ｎ（ＲＢ）２、−ＳＲＡ、−Ｃ（＝Ｏ）ＲＡ、−Ｃ（＝Ｏ）ＯＲＡ、−Ｃ（＝Ｏ）ＳＲＡ、−Ｃ（＝Ｏ）Ｎ（ＲＢ）２、−ＯＣ（＝Ｏ）ＲＡ、−ＮＲＢＣ（＝Ｏ）ＲＡ、−ＮＲＢＣ（＝Ｏ）Ｎ（ＲＢ）２、−ＯＣ（＝Ｏ）Ｎ（ＲＢ）２、−ＮＲＢＣ（＝Ｏ）ＯＲＡ、−ＳＣ（＝Ｏ）ＲＡ、−Ｃ（＝ＮＲＢ）ＲＡ、−Ｃ（＝ＮＲＢ）Ｎ（ＲＢ）２、−ＮＲＢＣ（＝ＮＲＢ）ＲＢ、−Ｃ（＝Ｓ）ＲＡ、−Ｃ（＝Ｓ）Ｎ（ＲＢ）２、−ＮＲＢＣ（＝Ｓ）ＲＡ、−Ｓ（＝Ｏ）ＲＡ、−ＳＯ２ＲＡ、−ＮＲＢＳＯ２ＲＡ、および−ＳＯ２Ｎ（ＲＢ）２からなる群から選択され；
各ＲＡは、独立して、水素、任意選択で置換される脂肪族、任意選択で置換されるカルボシクリル、任意選択で置換されるヘテロシクリル、任意選択で置換されるアリール、および任意選択で置換されるヘテロアリールからなる群から選択され；
各ＲＢは、独立して、水素、任意選択で置換される脂肪族、任意選択で置換されるカルボシクリル、任意選択で置換されるヘテロシクリル、任意選択で置換されるアリール、および任意選択で置換されるヘテロアリールからなる群から選択され、または、２つのＲＢ基はそれらの介在原子と一緒になって、任意選択で置換されるヘテロ環式の環を形成し；
Ｒ４ａおよびＲ４ｂは、独立して、水素、ハロ、−ＣＮ、−ＯＲＡ、−Ｎ（ＲＢ）２、および任意選択で置換される脂肪族からなる群から選択され、または、Ｒ４ａおよびＲ４ｂはそれらの介在原子と一緒になって、任意選択で置換される３〜７員飽和炭素環式もしくはヘテロ環式の環を形成し；
Ｒ５ａおよびＲ５ｂは、独立して、水素、ハロ、−ＣＮ、−ＯＲＡ、−Ｎ（ＲＢ）２、任意選択で置換される脂肪族、任意選択で置換されるアリール、および任意選択で置換されるヘテロアリールからなる群から選択され、または、Ｒ５ａおよびＲ５ｂはそれらの介在原子と一緒になって、任意選択で置換される３〜７員飽和炭素環式もしくはヘテロ環式の環を形成し；
Ｒ６ａおよびＲ６ｂは、独立して、水素、ハロ、−ＣＮ、−ＯＲＡ、−Ｎ（ＲＢ）２、および任意選択で置換される脂肪族からなる群から選択され、または、Ｒ６ａおよびＲ６ｂはそれらの介在原子と一緒になって、任意選択で置換される３〜７員飽和飽和炭素環式もしくはヘテロ環式の環を形成し；
ただし、Ｒ１またはＲ２が水素であるときに、Ｒ３は水素、−ＯＨ、または−ＣＨ３ではない、
の化合物またはその薬理上許容される塩。
【手続補正書】
【提出日】平成28年4月20日(2016.4.20)
【手続補正１】
【補正対象書類名】特許請求の範囲
【補正対象項目名】全文
【補正方法】変更
【補正の内容】
【特許請求の範囲】
【請求項１】
式：
【化４】
2015536305.tif 000001
の化合物［式中、Ｘ１およびＹ１はいずれもＨであるか、またはＸ１およびＹ１の一方はＨであり、他方はクロロである］
を調製するための方法であって、
式：
【化５】
2015536305.tif 000002
の化合物を、式：
【化６】
2015536305.tif 000003
の化合物［式中、Ｘ１およびＹ１は、上記で定義された通りである］と、それぞれ、銅触媒、キラルホスフィンリガンドおよび還元剤の存在下で反応させ、反応は有機溶媒の存在下で実施され、有機溶媒がアルコールである方法。
【請求項２】
有機溶媒が第三級アルコールである、請求項１に記載の方法。
【請求項３】
有機溶媒が２−メチル−２−ブタノールである、請求項２に記載の方法。
【請求項４】
Ｘ１がクロロであり、Ｙ１がＨである、請求項１から３のいずれか一項に記載の方法。
【請求項５】
前記触媒が銅（Ｉ）触媒である、請求項１から４のいずれか一項に記載の方法。
【請求項６】
前記触媒が、ＣｕＦ（ＰＰｈ３）３．メタノール溶媒和物またはＣｕＦ（ＰＰｈ３）３．エタノール溶媒和物である、請求項５に記載の方法。
【請求項７】
前記リガンドが、（Ｓ）−１−｛（ＳＰ）−２−［２−（ジフェニルホスフィノ）フェニル］フェロセニル｝エチルビス［３，５−ビス−（トリフルオロメチル）フェニル］ホスフィンである、請求項１から６のいずれか一項に記載の方法。
【請求項８】
前記還元剤がフェニルシランである、請求項１から７のいずれか一項に記載の方法。
【請求項９】
前記反応の温度が約−９℃である、請求項１から８のいずれか一項に記載の方法。
【請求項１０】
前記生成物がボリコナゾールであるか、または前記生成物が１つまたは複数のステップにおいてさらに転換されてボリコナゾールを提供する、請求項１から９のいずれか一項に記載の方法。
【請求項１１】
４−クロロ−５−フルオロ−６−ビニルピリミジン、
５−フルオロ−４−ビニルピリミジン、または
２−クロロ−５−フルオロ−４−ビニルピリミジン
である、化合物。
【手続補正書】
【提出日】平成28年10月25日(2016.10.25)
【手続補正１】
【補正対象書類名】特許請求の範囲
【補正対象項目名】全文
【補正方法】変更
【補正の内容】
【特許請求の範囲】
【請求項１】
以下の一般構造を有するブロック共重合体。
Ａ［−Ｌ−Ｂ］ｎ
（式中、ｎは、少なくとも１であり、
Ａは、ポリオルガノシロキサンブロックであり、
Ｂは、ポリプロピレンホモポリマー又はポリプロピレン共重合体を含むポリオレフィンブロックであり、
Ｌは、共有結合、又はアミン若しくはアルコールと無水物との反応生成物を含む二価結合基である。）
【請求項２】
前記ポリオレフィンブロックが、少なくとも１１０℃の融点を有する、請求項１に記載のブロック共重合体。
【請求項３】
前記ポリプロピレン共重合体が、４〜１２個の炭素原子を有する飽和アルキレン及び不飽和アルケン由来の繰り返し単位を含む、請求項１に記載のブロック共重合体。
【請求項４】
前記ブロック共重合体は、以下の式
【化１】
2015536376.tif 000001
（式中、Ｒ２は、水素、Ｃ１〜Ｃ６アルキル又はニトリルであり、
ｎは、１より大きく、
Ｒ３は、アミン又はヒドロキシル官能基と無水物官能基との反応生成物であり、
ｐは、少なくとも５であり、
各ｐに対し、Ｒ５は、独立して水素又はメチルであり、
Ｒ４は、Ｃ１〜Ｃ８アルキレン又はアルケンであり、
ｏは、ゼロであるか又は１より大きい）を有する二元ブロック共重合体である、請求項１〜３のいずれか一項に記載のブロック共重合体。
【請求項５】
前記ブロック共重合体は、以下の式
【化２】
2015536376.tif 000002
（式中、Ｒ２は、水素、Ｃ１〜Ｃ６アルキル又はニトリルであり、
ｎは、１より大きく、
Ｒ３は、アミン又はヒドロキシル官能基と無水物官能基との反応生成物であり、
ｐは、少なくとも５であり、
各ｍに対し、Ｒ５は、独立して水素又はメチルであり、
Ｒ４は、Ｃ１〜Ｃ８アルキレン又はアルケンであり、
ｏは、ゼロであるか又は１より大きい）を有する三元ブロック共重合体である、請求項１〜３のいずれか一項に記載のブロック共重合体。
【請求項６】
前記ブロック共重合体は、以下の式
【化３】
2015536376.tif 000003
（式中、Ｒ２は、水素、Ｃ１〜Ｃ６アルキル又はニトリルであり、
ｎは、１より大きく、
ｍは、少なくとも１であり、
Ｒ３は、アミン又はヒドロキシル官能基と無水物官能基との反応生成物であり、
ｐは、少なくとも５であり、
各ｍに対し、Ｒ５は、独立して水素又はメチルであり、
Ｒ４は、Ｃ１〜Ｃ８アルキレン又はアルケンであり、
ｏは、ゼロであるか又は１より大きい）を有するグラフト共重合体である、請求項１〜３のいずれか一項に記載のブロック共重合体。
【手続補正書】
【提出日】平成27年11月30日(2015.11.30)
【手続補正１】
【補正対象書類名】明細書
【補正対象項目名】００７５
【補正方法】変更
【補正の内容】
【００７５】
本発明は、本明細書に含まれる実施形態および例示に限定されず、以下の特許請求の範囲内に該当する、実施形態の部分および異なる実施形態の要素の組み合わせを含む、これらの実施形態の修正形態を含むことが具体的に意図される。
本発明に関連する発明の実施態様の一部を以下に示す。
［態様１］
３０℃〜８０℃の曇点を持つ、水および水溶性のポリアルキレングリコール（ＰＡＧ）を含む水性切削流体。
［態様２］
（Ａ）３０℃〜８０℃の曇点を持つ水溶性ＰＡＧと、
（Ｂ）水と、
（Ｃ）湿潤剤、
（Ｄ）分散剤、
（Ｅ）消泡剤、
（Ｆ）腐食抑制剤、
（Ｇ）錯化剤、および
（Ｈ）殺生物剤のうちの少なくとも１つとを含む、切削流体。
［態様３］
硬脆材料を、水性切削流体と合わせて使用されるワイヤーソーを用いて切断する方法であって、前記方法が、切断条件下で前記材料を前記ワイヤーソーおよび切削流体に接触させるステップを含む、前記切削流体が、
（Ａ）３０℃〜８０℃の曇点を持つ水溶性ＰＡＧと、
（Ｂ）水と、
（Ｃ）湿潤剤、
（Ｄ）分散剤、
（Ｅ）消泡剤、
（Ｆ）腐食抑制剤、
（Ｇ）錯化剤、および
（Ｈ）殺生物剤のうちの少なくとも１つとを含む、方法。
［態様４］
（Ａ）３０℃〜８０℃の曇点を持つ水溶性ＰＡＧと、
（Ｂ）水と、
（Ｃ）湿潤剤、
（Ｄ）分散剤、
（Ｅ）消泡剤、
（Ｆ）腐食抑制剤、
（Ｇ）錯化剤、および
（Ｈ）殺生物剤のうちの少なくとも１つと、を含む、切削流体プレミックス。
［態様５］
湿潤剤、分散剤、消泡剤、腐食抑制剤、錯化剤および殺生物剤のうちの少なくとも２つを含む、上記態様１〜４のいずれかに記載の切削流体。
［態様６］
湿潤剤、分散剤、消泡剤、腐食抑制剤、錯化剤および殺生物剤のうちの少なくとも３つを含む、上記態様１〜４のいずれかに記載の切削流体。
［態様７］
湿潤剤、分散剤、消泡剤、腐食抑制剤、錯化剤および殺生物剤のうちの少なくとも４つを含む、上記態様１〜４のいずれかに記載の切削流体。
［態様８］
湿潤剤、分散剤、消泡剤、腐食抑制剤、錯化剤および殺生物剤のうちの少なくとも５つを含む、上記態様１〜４のいずれかに記載の切削流体。
［態様９］
前記ＰＡＧが、前記切削流体の重量に基づき０．０１〜２０重量パーセントの量で存在する上記態様１に記載の切削流体。
［態様１０］
水が、前記切削流体の重量に基づき９０〜９８重量パーセントの量で存在する上記態様９に記載の切削流体。
［態様１１］
前記湿潤剤、分散剤、消泡剤、腐食抑制剤、錯化剤および殺生物剤のうちの少なくとも１つが、前記切削流体の重量に基づき０．０１〜２重量パーセントの量で存在する上記態様１０に記載の切削流体。
［態様１２］
極性溶媒増粘剤、染料、または芳香剤のうちの１つ以上をさらに含む、上記態様１１に記載の切削流体。
［態様１３］
水が、前記プレミックスの重量に基づき、８０重量パーセントを超えない量で存在する、上記態様４に記載の切削流体プレミックス。
［態様１４］
前記湿潤剤および消泡剤が存在する、上記態様４〜１３のいずれかに記載の切削流体プレミックス。
［態様１５］
前記硬脆材料が、シリコンインゴットまたはウエハである、上記態様３に記載の方法。
【手続補正２】
【補正対象書類名】特許請求の範囲
【補正対象項目名】全文
【補正方法】変更
【補正の内容】
【特許請求の範囲】
【請求項１】
切削流体であって、当該切削流体の質量を基準として、
（Ａ）０．０１〜２０％の、３０℃〜８０℃の曇点を持つ水溶性ポリアルキレングリコールと、
（Ｂ）９０〜９８％の水と、
０．０１〜２％の、下記（Ｃ）〜（Ｈ）：
（Ｃ）湿潤剤、
（Ｄ）分散剤、
（Ｅ）消泡剤、
（Ｆ）腐食抑制剤、
（Ｇ）錯化剤、および
（Ｈ）殺生物剤、
のうちの少なくとも１つと、
を含む、切削流体。
【請求項２】
硬脆材料を、水性切削流体と合わせて使用されるワイヤーソーを用いて切断する方法であって、前記方法が、切断条件下で前記材料を前記ワイヤーソーおよび切削流体に接触させるステップを含む、前記切削流体が、
（Ａ）３０℃〜８０℃の曇点を持つ水溶性ＰＡＧと、
（Ｂ）水と、
下記（Ｃ）〜（Ｈ）：
（Ｃ）湿潤剤、
（Ｄ）分散剤、
（Ｅ）消泡剤、
（Ｆ）腐食抑制剤、
（Ｇ）錯化剤、および
（Ｈ）殺生物剤、
のうちの少なくとも１つと、
を含む、方法。
【請求項３】
切削流体プレミックスであって、
（Ａ）３０℃〜８０℃の曇点を持つ水溶性ＰＡＧと、
（Ｂ）前記プレミックスの質量を基準として８０％を超えない量の水と、
下記（Ｃ）〜（Ｈ）：
（Ｃ）湿潤剤、
（Ｄ）分散剤、
（Ｅ）消泡剤、
（Ｆ）腐食抑制剤、
（Ｇ）錯化剤、および
（Ｈ）殺生物剤、
のうちの少なくとも１つと、
を含む、切削流体プレミックス。
【請求項４】
湿潤剤、分散剤、消泡剤、腐食抑制剤、錯化剤および殺生物剤のうちの少なくとも２つを含む、請求項１に記載の切削流体。
【請求項５】
極性溶媒、増粘剤、染料、または芳香剤のうちの１つ以上をさらに含む、請求項１に記載の切削流体。
【手続補正書】
【提出日】平成28年10月12日(2016.10.12)
【手続補正１】
【補正対象書類名】特許請求の範囲
【補正対象項目名】全文
【補正方法】変更
【補正の内容】
【特許請求の範囲】
【請求項１】
入口及び出口を有し、かつ細胞を含む装置であって、これらのレジデント細胞が、投入される化学物質、生化学物質、及び／又は1つ以上のさらなる細胞タイプに応答し、該装置レジデント細胞から有用又は有益な物質を産生することができる、前記装置。
【手続補正書】
【提出日】平成28年10月14日(2016.10.14)
【手続補正１】
【補正対象書類名】特許請求の範囲
【補正対象項目名】全文
【補正方法】変更
【補正の内容】
【特許請求の範囲】
【請求項１】
一般式II：
【化１】
2015536324.tif 000001
(式中、R1およびR2は、独立して、ヒドロキシ、アルコキシおよびハロからなる群より選択され、かつR3は、非存在(null)、ヒドロキシ、アルコキシおよびハロからなる群より選択されるか、または
R1およびR2は、ホウ素原子と一緒になって、環状ホウ酸エステルを形成し、かつR3は非存在であり、
ここで、ホウ素に対して4つの結合が存在する場合、ホウ素は、負の形式電荷を有し、構造はさらに、カリウムおよびナトリウムからなる群より選択される対カチオンを含み、
X1、X2、X3およびX4における環原子は、独立して、O、CおよびNからなる群より選択され、ただし、X1、X2、X3およびX4の2つ以下は、OまたはNであり；
Zは、非存在、アルキル、アリール、ヘテロアリールおよびハロゲンからなる群より選択され、それらのいずれかは、任意に置換されてもよく、基Zに結合しないX1、X2、X3およびX4における任意の炭素原子は、水素に結合している)
の構造を含む化合物、その薬学的に許容され得る塩、および/またはそれらの溶媒和物。
【請求項２】
【化２】
2015536324.tif 000002
からなる群より選択される構造を含む、請求項１記載の化合物、またはそれらの薬学的に許容され得る塩もしくは溶媒和物。
【請求項３】
請求項１または２記載の化合物および薬学的に許容され得るビヒクルを含む、医薬組成物。
【請求項４】
疾患を治療するための請求項３記載の医薬組成物。
【請求項５】
該化合物が、
【化３】
2015536324.tif 000003
およびそれらの薬学的に許容され得る塩および/または溶媒和物からなる群より選択される、請求項４記載の医薬組成物。
【請求項６】
該疾患が、高血糖、インスリン抵抗性、メタボリックシンドローム、多嚢胞性卵巣症候群(PCOS)、糖尿病前症、1型糖尿病、2型糖尿病、肝臓脂肪症、NAFLD、非アルコール性脂肪性肝炎(NASH)、および肝臓機能不全(例えば、脂肪肝および/またはインスリン抵抗性を特徴とする肝臓機能不全)、ならびにそれらの組み合わせからなる群より選択される、請求項４または５記載の医薬組成物。
【手続補正書】
【提出日】平成28年10月18日(2016.10.18)
【手続補正１】
【補正対象書類名】特許請求の範囲
【補正対象項目名】全文
【補正方法】変更
【補正の内容】
【特許請求の範囲】
【請求項１】
個体における疼痛を治療する方法であって、該個体に、治療上有効な量のOCT-4-、組織培養表面接着羊膜由来接着細胞(AMDAC)、又はAMDACにより馴化された培地を投与することを含み、該治療上有効な量が該疼痛の検出可能な改善を起こすのに充分な量である、前記方法。
【手続補正書】
【提出日】平成28年9月9日(2016.9.9)
【手続補正１】
【補正対象書類名】特許請求の範囲
【補正対象項目名】全文
【補正方法】変更
【補正の内容】
【特許請求の範囲】
【請求項１】
イロプロストまたはその塩から選択される活性成分を含む、肺動脈性肺高血圧症の治療で使用するための医薬組成物であって、有効単回用量の活性成分を含むある量の組成物が、2分以内で吸入されるエアロゾル化形態で供給され、エアロゾルが、12回より多い呼吸で投与される医薬組成物。
【請求項２】
エアロゾルが、13〜25回の呼吸で投与される、肺動脈性肺高血圧症の治療で使用するための請求項1に記載の組成物。
【請求項３】
呼吸の平均継続時間が6秒以下である、肺動脈性肺高血圧症の治療で使用するための請求項1または2に記載の組成物。
【請求項４】
0.4mL/分以上の排出速度でエアロゾル化形態の組成物を放出するように適合された吸入器を使用して投与される、肺動脈性肺高血圧症の治療で使用するための請求項1から3のいずれか一項に記載の組成物。
【請求項５】
0.5mL/分以上の排出速度でエアロゾル化形態の組成物を放出するように適合された吸入器を使用して投与される、肺動脈性肺高血圧症の治療で使用するための請求項1から4のいずれか一項に記載の組成物。
【請求項６】
1分あたりイロプロスト2.5μg以上の速度で、エアロゾル化形態の組成物を放出するように適合された吸入器を使用して投与される、肺動脈性肺高血圧症の治療で使用するための請求項1から5のいずれか一項に記載の組成物。
【請求項７】
1分あたりイロプロスト5μg以上の速度で、エアロゾル化形態の組成物を放出するように適合された吸入器を使用して投与される、肺動脈性肺高血圧症の治療で使用するための請求項1から6のいずれか一項に記載の組成物。
【請求項８】
吸入相あたり、所定体積のエアロゾルの直後に、所定体積のエアロゾル不含有空気を放出するように適合された吸入器を使用して投与され、所定体積のエアロゾル不含有空気が、場合により、各吸入相の終わりに0.2〜2秒にわたって吸入器により放出される、肺動脈性肺高血圧症の治療で使用するための請求項1から7のいずれか一項に記載の組成物。
【請求項９】
所定体積のエアロゾルが、吸入相あたり1〜3秒にわたって吸入器によって放出される、肺動脈性肺高血圧症の治療で使用するための請求項8に記載の組成物。
【請求項１０】
吸入器が、定量吸入器、ソフトミスト吸入器および振動メッシュ式ネブライザーから選択される、肺動脈性肺高血圧症の治療で使用するための請求項1から9のいずれか一項に記載の組成物。
【請求項１１】
10μg/mL以上の濃度を有する、および/または有効単回用量が約1.5μgから約5.0μgである、肺動脈性肺高血圧症の治療で使用するための請求項1から10のいずれか一項に記載の組成物。
【請求項１２】
濃度が10μg/mLであり、有効単回用量が2.5μgである、または濃度が20μg/mLであり、有効単回用量が5μgである、肺動脈性肺高血圧症の治療で使用するための請求項1から11のいずれか一項に記載の組成物。
【請求項１３】
(a)イロプロストまたはその塩から選択される活性成分を含む組成物と、
(b)12回より多い呼吸でおよび2分以内で吸入される、有効単回用量の活性成分を含むエアロゾル化形態のある量の組成物を供給するように適合された吸入器と
を含む医薬キット。
【請求項１４】
(a)イロプロストまたはその塩から選択される活性成分を含む組成物と、
(b)12回より多い呼吸でおよび2分以内で吸入される、有効単回用量の活性成分を含むエアロゾル化形態のある量の組成物を供給するように、吸入器の操作を制御できる電子データ記憶手段と
を含む医薬キット。
【請求項１５】
イロプロストまたはその塩から選択される活性成分を含む医薬組成物の、肺動脈性肺高血圧症を治療するための医薬の製造における使用であって、有効単回用量の活性成分を含むある量の組成物が、2分以内で吸入されるエアロゾル化形態で供給され、エアロゾルが、12回より多い呼吸で投与される、使用。
【手続補正書】
【提出日】平成28年10月24日(2016.10.24)
【手続補正１】
【補正対象書類名】特許請求の範囲
【補正対象項目名】全文
【補正方法】変更
【補正の内容】
【特許請求の範囲】
【請求項１】
（ａ）Ｂ−Ｒａｆ阻害剤と、
（ｂ）ヒストン脱アセチル化酵素阻害剤と、
を含む、同時、個別、または順次に投与するための医薬組合せ。
【請求項２】
（ａ）式（Ｉ）
【化１】
2015536964.tif 000001
のＢ−Ｒａｆ阻害剤またはその薬理学的に許容される塩と、
（ｂ）ヒストン脱アセチル化酵素阻害剤と、
を含む、請求項１に記載の医薬組合せ。
【請求項３】
（ａ）Ｂ−Ｒａｆ阻害剤と、
（ｂ）前記ヒストン脱アセチル化酵素阻害剤であるパノビノスタットまたはその薬理学的に許容される塩と、
を含む、請求項１に記載の医薬組合せ。
【請求項４】
（ａ）式（Ｉ）
【化２】
2015536964.tif 000002
のＢ−Ｒａｆ阻害剤またはその薬理学的に許容される塩と、
（ｂ）前記ヒストン脱アセチル化酵素阻害剤パノビノスタットまたはその薬理学的に許容される塩と、
を含む、請求項１に記載の医薬組合せ。
【請求項５】
（ａ）式（Ｉ）
【化３】
2015536964.tif 000003
のＢ−Ｒａｆ阻害剤またはその薬理学的に許容される塩と、
（ｂ）前記ヒストン脱アセチル化酵素阻害剤パノビノスタットまたはその薬理学的に許容される塩とを、
同時に、個別に、または順次に投与するために含む、組合せ製剤。
【請求項６】
（ａ）式（Ｉ）
【化４】
2015536964.tif 000004
のＢ−Ｒａｆ阻害剤またはその薬理学的に許容される塩と、
（ｂ）前記ヒストン脱アセチル化酵素阻害剤パノビノスタットまたはその薬理学的に許容される塩と、
を含む医薬組成物。
【請求項７】
増殖性疾患の治療を必要とする対象においてその治療で使用するための、請求項１〜４のいずれかに記載の医薬組合せ、請求項５に記載の組合せ製剤、または請求項６に記載の医薬組成物。
【請求項８】
増殖性疾患治療用の薬物の調製に使用するための、請求項１〜４のいずれかに記載の医薬組合せ、請求項５に記載の組合せ製剤、または請求項６に記載の医薬組成物。
【請求項９】
前記増殖性疾患が癌である、請求項７または８に記載の医薬組合せ、組合せ製剤または医薬組成物。
【請求項１０】
前記増殖性疾患が黒色腫、肺癌（非小細胞肺癌（ＮＳＣＬＣ）を含む）、大腸癌（ＣＲＣ）、乳癌、腎臓癌、腎細胞腫（ＲＣＣ）、肝癌、急性骨髄性白血病（ＡＭＬ）、骨髄異形成症候群（ＭＤＳ）、甲状腺癌、膵臓癌、神経線維腫症または肝細胞癌である、請求項７〜９のいずれかに記載の医薬組合せ、組合せ製剤または医薬組成物。
【請求項１１】
増殖性疾患治療用の薬物を製造するための、請求項１〜４のいずれかに記載の医薬組合せ、請求項５に記載の組合せ製剤、または請求項６に記載の医薬組成物の使用。
【請求項１２】
前記増殖性疾患がＢ−Ｒａｆ変異を特徴とする、請求項７〜１０のいずれかに記載の医薬組合せ、組合せ製剤または医薬組成物。
【請求項１３】
前記増殖性疾患がＢ−Ｒａｆ  Ｖ６００変異を特徴とする、請求項７〜１１のいずれかに記載の医薬組合せ、組合せ製剤または医薬組成物。
【請求項１４】
前記増殖性疾患が黒色腫である、請求項７〜１２のいずれかに記載の医薬組合せ、組合せ製剤または医薬組成物。
【請求項１５】
（ａ）式（Ｉ）
【化５】
2015536964.tif 000005
のＢ−Ｒａｆ阻害剤またはその薬理学的に許容される塩と、
（ｂ）前記ヒストン脱アセチル化酵素阻害剤パノビノスタット、またはその薬理学的に許容される塩とを、
増殖性疾患の進行遅延または治療に使用するために同時に、個別に、または順次に投与するための説明書とともに含む、商業用パッケージ。
【手続補正書】
【提出日】平成28年9月30日(2016.9.30)
【手続補正１】
【補正対象書類名】特許請求の範囲
【補正対象項目名】全文
【補正方法】変更
【補正の内容】
【特許請求の範囲】
【請求項１】
ａ）送達用カテーテルを身体の内腔に挿入すること；身体の内腔の病気にかかっている組織に、該組織に傷害または損傷を与え、疾患の症状の緩和に利益をもたらすのに有効な量の製剤を一定の温度および一定の圧力で注入すること；及び
ｂ）前記送達用カテーテルを前記身体の内腔から引き抜くことを含む疾患の治療方法に用いるための製剤であって、ここで前記製剤は前記病気にかかっている組織と相互作用し、
前記疾患は、高血圧、糖尿病、肥満、心不全、末期の腎臓疾患、消化器系疾患、泌尿器系疾患、癌、腫瘍、疼痛、喘息、肺動脈性高血圧、および慢性閉塞性肺疾患（ＣＯＰＤ）からなる群より選択され、
前記製剤は、１０ｗｔ％〜１００ｗｔ％エタノールであるか、または、１ｗｔ％〜１００ｗｔ％酢酸である、製剤。
【請求項２】
前記身体の内腔が腎動脈、血管内腔、呼吸器の内腔、消化器の内腔、食道の内腔および泌尿器の内腔からなる群より選択される、請求項１に記載の製剤。
【請求項３】
１種以上の成分のガス、蒸気、液体、溶液、乳剤または懸濁液を含む、請求項１または２に記載の製剤。
【請求項４】
前記製剤が１種以上の成分の蒸気を含む場合に、前記蒸気を液体に凝縮することによって熱が発生する、請求項３に記載の製剤。
【請求項５】
前記製剤の温度が−４０〜１４０℃の範囲である、請求項１〜４のいずれか１項に記載の製剤。
【請求項６】
病気にかかっている組織の温度が−４０〜１００℃の範囲である、請求項１〜５のいずれか１項に記載の製剤。
【請求項７】
前記製剤の圧力が１〜１２ＡＴＭの範囲である、請求項１〜６のいずれか１項に記載の製剤。
【請求項８】
前記製剤の圧力が身体の内腔または組織の圧力よりも高く、
前記製剤の量が０．２マイクロリットル〜２００ミリリットルの範囲であってもよく、
送達用カテーテルが、病気にかかっている組織に、約２秒〜約６０分の間挿入されてもよく、
熱またはエネルギーが、約２カロリー／ｇ〜約１５０カロリー／ｇの間の量で、前記製剤から病気にかかっている組織に送達されてもよい、請求項１〜７のいずれか１項に記載の製剤。
【請求項９】
前記送達用カテーテルが、ニードルを用いた送達用カテーテル、バルーン付きカテーテル、注入カテーテル、またはそれらの組み合わせである、請求項１〜８のいずれか１項に記載の製剤。
【請求項１０】
水、生理食塩水、高張食塩水、フェノール、メタノール、エタノール、無水アルコール、イソプロパノール、プロパノール、ブタノール、イソブタノール、エチレングリコール、グリセロール、酢酸、乳酸、ヨウ化プロピル、ヨウ化イソプロピル、ヨウ化エチル、酢酸メチル、酢酸エチル、硝酸エチル、酢酸イソプロピル、乳酸エチル、リピオドール、尿素、ならびにそれらの誘導体およびそれらの組み合わせから選択される１種以上の成分をさらに含み、
酸素、窒素、ヘリウム、アルゴン、空気、二酸化炭素、一酸化窒素、水、フェノール、メタノール、エタノール、無水アルコール、イソプロパノール、プロパノール、ブタノール、イソブタノール、エチレングリコール、グリセロール、酢酸、乳酸、ヨウ化プロピル、ヨウ化イソプロピル、ヨウ化エチル、酢酸メチル、酢酸エチル、硝酸エチル、酢酸イソプロピル、乳酸エチルおよびそれらの混合物のガスまたは蒸気を含んでいてよい、請求項１〜９のいずれか１項に記載の製剤。
【請求項１１】
除神経用の治療薬をさらに含み、前記治療薬がナトリウムチャネル遮断薬、テトロドトキシン、サキシトキシン、デカルバモイルサキシトキシン、バニロイド、ネオサキシトキシン、リドカイン、コノトキシン、強心配糖体、ジゴキシン、グルタメート、スタウロスポリン、アムロジピン、ベラパミル、シマリン、ジギトキシン、プロスシラリジン、ウアバイン、ベラトリジン、ドーモイ酸、オレアンドリン、カルバマゼピン、アフラトキシン、グアネチジン、およびグアネチジン硫酸塩からなる群より選択される、請求項１〜１０のいずれか１項に記載の製剤。
【請求項１２】
除神経術を画像化するための造影剤をさらに含む、請求項１〜１１のいずれか１項に記載の製剤。
【請求項１３】
単純な蒸留によってはその成分を変化させることができない２種以上の成分の混合物である共沸混合物を含むか；または、
エタノール／水、エタノール／水／酸素、エタノール／水／空気、エタノール／水／造影剤、エタノール／水／界面活性剤、エタノール／水／造影剤／界面活性剤、プロパノール／水、イソプロパノール／水、ブタノール／水、酢酸／水、酢酸／水／酸素、酢酸／水／空気、酢酸／水／エタノール、酢酸／水／造影剤、酢酸／水／造影剤／界面活性剤、酢酸／水／エタノール／造影剤、酢酸／水／エタノール／造影剤／界面活性剤、乳酸／水、乳酸／水／エタノール、乳酸／水／造影剤、乳酸／水／造影剤／界面活性剤、乳酸／水／エタノール／造影剤、乳酸／水／エタノール／造影剤／界面活性剤、乳酸エチル／水、乳酸エチル／エタノール、乳酸／エタノール／水、乳酸エチル／水／エタノール、酢酸エチル／エタノール、硝酸エチル／エタノール、または酢酸イソプロピル／エタノールを含む、請求項１〜１２のいずれか１項に記載の製剤。
【請求項１４】
熱アブレーションおよび化学的アブレーションによる疾患の治療方法に用いるための製剤であって、該治療方法が：
ａ）神経に隣接している身体の内腔に送達用カテーテルを挿入し；
ｂ）製剤および、場合によりエネルギーを望ましい温度で前記身体内腔の前記神経組織に送達し、前記エネルギーおよび/または製剤の量が、神経組織に障害または損傷を与え、前記疾患の症状の緩和に利益をもたらすのに有効であり；および
ｃ）前記送達用カテーテルを前記身体内腔から引き抜くこと
を含む、請求項１〜１３のいずれか１項に記載の製剤。
【請求項１５】
前記エネルギーが高周波、凍結融解、マイクロ波、レーザー、超音波、および高密度焦点式超音波からなる群より選択される、請求項１４に記載の製剤であって、前記エネルギーが送達される間、前または後に、前記神経組織に送達されてもよい、製剤。
【手続補正書】
【提出日】平成28年10月20日(2016.10.20)
【手続補正１】
【補正対象書類名】特許請求の範囲
【補正対象項目名】全文
【補正方法】変更
【補正の内容】
【特許請求の範囲】
【請求項１】
イブルチニブと、
Ｂｃｌ−２阻害剤、カーフィルゾミブ、ＡＫＴ阻害剤、Ｅｒｋ阻害剤、ｃ−Ｍｅｔ阻害剤、脱メチル化酵素阻害剤、ＡＫＴ／ＰＫＢ阻害剤、ＢＲＡＦ阻害剤、ＣＣＲ２阻害剤、ＣＸＣＲ４阻害剤、ＤＮＡ二本鎖切断修復阻害剤、および、抗ＶＥＧＦ抗体から選択される追加の薬剤とを含む、医薬組成物。
【請求項２】
Ｂｃｌ−２阻害剤、カーフィルゾミブ、ＡＫＴ阻害剤、Ｅｒｋ阻害剤、ｃ−Ｍｅｔ阻害剤、脱メチル化酵素阻害剤、ＡＫＴ／ＰＫＢ阻害剤、ＢＲＡＦ阻害剤、ＣＣＲ２阻害剤、ＣＸＣＲ４阻害剤、ＤＮＡ二本鎖切断修復阻害剤、および、抗ＶＥＧＦ抗体から選択される追加の薬剤とともに使用される製剤の製造におけるイブルチニブの使用。
【請求項３】
製剤はＢｃｌ−２阻害剤とともに使用される、請求項２に記載の使用。
【請求項４】
製剤はカーフィルゾミブとともに使用される、請求項２に記載の使用。
【請求項５】
癌を有する対象においてＴｈ１：Ｔｈ２バイオマーカー比を増加させるための、有効量の共有結合型ＴＥＣファミリーキナーゼ阻害剤を含む医薬組成物であって、
癌は、Ｔｈ１応答が抑制されかつＴｈ２応答が増強されるバイオマーカープロファイルを特徴とする、医薬組成物。
【請求項６】
前記Ｔｈ２バイオマーカーが、ＩＬ−１０、ＩＬ−４、ＩＬ−１３、又はこれらの組み合わせの中から選択される、請求項５に記載の医薬組成物。
【請求項７】
前記Ｔｈ１バイオマーカーが、ＩＦＮ−γ、ＩＬ−２、ＩＬ−１２、又はそれらの組み合わせの中から選択される、請求項５に記載の医薬組成物。
【請求項８】
前記共有結合型ＴＥＣファミリーキナーゼ阻害剤がイブルチニブである、請求項５に記載の医薬組成物。
【請求項９】
第１の抗癌療法による治療後にＴ細胞悪性腫瘍を有する対象を治療して、再発性又は難治性疾患を予防し、そのリスクを低減させ、又はそれらを遅延させるための治療有効量のイブルチニブを含む医薬組成物であって、前記第１の抗癌療法がイブルチニブを含まない、医薬組成物。
【請求項１０】
前記Ｔ細胞悪性腫瘍が、非特定型末梢性Ｔ細胞リンパ腫（ＰＴＣＬ−ＮＯＳ）、未分化大細胞リンパ腫、血管免疫芽球性リンパ腫、皮膚Ｔ細胞リンパ腫、成人Ｔ細胞白血病／リンパ腫（ＡＴＬＬ）、芽球性ＮＫ細胞リンパ腫、腸疾患型Ｔ細胞リンパ腫、脾臓γ−δＴ細胞リンパ腫、リンパ芽球性リンパ腫、鼻ＮＫ／Ｔ細胞リンパ腫、又は治療関連Ｔ細胞リンパ腫である、請求項９に記載の医薬組成物。
【請求項１１】
Ｔｈ２介在性疾患又は障害を有する対象を治療するために治療有効量のイブルチニブを含む、医薬組成物。
【請求項１２】
対象においてＴｈ１：Ｔｈ２バイオマーカー比を増加させることにより、前記対象において癌を治療するための製剤の製造におけるイブルチニブの使用であって、癌は、Ｔｈ１応答が抑制されかつＴｈ２応答が増強されるバイオマーカープロファイルを特徴とする、使用。
【請求項１３】
第１の抗癌療法による治療後にＴ細胞悪性腫瘍を有する対象を治療するための製剤の製造におけるイブルチニブの使用であって、前記第１の抗癌療法がイブルチニブの投与を含まない、使用。
【請求項１４】
前記Ｔ細胞悪性腫瘍が、非特定型末梢性Ｔ細胞リンパ腫（ＰＴＣＬ−ＮＯＳ）、未分化大細胞リンパ腫、血管免疫芽球性リンパ腫、皮膚Ｔ細胞リンパ腫、成人Ｔ細胞白血病／リンパ腫（ＡＴＬＬ）、芽球性ＮＫ細胞リンパ腫、腸疾患型Ｔ細胞リンパ腫、脾臓γ−δＴ細胞リンパ腫、リンパ芽球性リンパ腫、鼻ＮＫ／Ｔ細胞リンパ腫、又は治療関連Ｔ細胞リンパ腫である、請求項１３に記載の使用。
【請求項１５】
製剤は追加の化学療法剤または生物由来物質とともに使用されるものである、請求項１２乃至１４のいずれか１つに記載の使用。
【手続補正書】
【提出日】平成28年10月26日(2016.10.26)
【手続補正１】
【補正対象書類名】特許請求の範囲
【補正対象項目名】全文
【補正方法】変更
【補正の内容】
【特許請求の範囲】
【請求項１】
式（Ｉ）の化合物、またはそのラセミ体、鏡像異性体、ジアステレオマーもしくは互変異性体
【化１】
2015536947.tif 000001
(I)
（式中、
Ｒ1は、ＳまたはＯであり、
Ｒ1Aは、ＣＨまたはＮであり、
環Ｚは、フェニル、ピリジンおよびピリジノンからなる群から選択され、前記フェニル、ピリジンおよびピリジノンは、それぞれ、（Ｃ1-6）アルキルまたは−Ｏ−（Ｃ1-6）アルキルにより一置換、二置換、または三置換されていてもよく、
環Ｙは、イミダゾール、トリアゾール、およびピリジンからなる群から選択され、前記イミダゾール、トリアゾールおよびピリジンは、それぞれ、ハロ、−ＣＮ、ＯＨ、−Ｏ−（Ｃ1-6）アルキル、−Ｃ（＝Ｏ）ＮＨ2、（Ｃ1-6）ハロアルキル、（Ｃ2-6）アルケニル、（Ｃ2-6）アルキニル、または（Ｃ1-6）アルキル（ＯＨ、−Ｃ（＝Ｏ）ＮＨ2、−Ｃ（＝Ｏ）ＯＨ、Ｙ1、−Ｏ−（Ｃ1-6）アルキル−Ｙ1、または−Ｎ（Ｈ）−（Ｃ1-6）アルキル）−Ｙ1により一置換または二置換されていてもよい）により一置換、二置換、または三置換されていてもよく、
Ｙ1は、アリール、複素環、またはヘテロアリールであり、前記アリール、複素環、またはヘテロアリールは、それぞれ、ハロ、−ＣＮ、ＯＨ、−Ｏ−（Ｃ1-6）アルキル、（Ｃ1-6）ハロアルキル、または（Ｃ1-6）アルキルにより一置換、二置換、または三置換されていてもよく、
Ｒ2は、存在しない、（Ｃ1-6）アルキル、（Ｃ3-7）シクロアルキル、−Ｏ、−Ｎ（Ｒ2A）、*−Ｎ（Ｒ2A）−Ｃ（＝Ｏ）−§、*−Ｎ（Ｒ2A）−Ｃ（＝Ｏ）−（Ｃ3-7）シクロアルキル−§、*−Ｎ（Ｒ2A）−Ｃ（＝Ｏ）−（Ｃ1-6）アルキル−§（必要な場合、Ｙ環に結合している部位は*で示されており、フェニル環に結合している部位は§で示されている）であり、
前記アルキルはそれぞれ、ＯＨ、−Ｏ−（Ｃ1-6）アルキル、−Ｏ−アリール、および−Ｏ−（Ｃ1-6）アルキル−アリールからなる群から独立して選択される置換基により一置換、二置換、または三置換されていてもよく、
Ｒ2Aは、Ｈまたは（Ｃ1-6）アルキルであり、
Ｒ3は、ハロ、（Ｃ1-6）ハロアルキル、−ＣＮ、ＯＨ、−Ｏ−（Ｃ1-6）アルキル、または（Ｃ1-6）アルキルであり、
前記アルキルはそれぞれ、ＯＨ、Ｃ（＝Ｏ）ＯＨ、アリール、複素環、またはヘテロアリールにより一置換または二置換されていてもよく、
ｎは、０、１、２または３である）
またはそれらの塩。
【請求項２】
環Ｚが、フェニル、ピリジンおよびピリジノンからなる群から選択される、請求項１に記載の化合物、
または薬学的に許容されるその塩。
【請求項３】
以下の式を有する、請求項２に記載の化合物
【化２】
2015536947.tif 000002
（式中、環Ｙ、Ｒ2、Ｒ3およびｎは、請求項１において定義した通りである）
または薬学的に許容されるその塩。
【請求項４】
以下の式を有する、請求項２に記載の化合物
【化３】
2015536947.tif 000003
（式中、環Ｙ、Ｒ2、Ｒ3およびｎは、請求項１において定義した通りであり、Ｚ1とＺ2の一方はＣＨであり、Ｚ1とＺ2の他方はＮである）
または薬学的に許容されるその塩。
【請求項５】
以下の式を有する、請求項２に記載の化合物
【化４】
2015536947.tif 000004
（式中、環Ｙ、Ｒ2、Ｒ3およびｎは、請求項１において定義した通りである）
または薬学的に許容されるその塩。
【請求項６】
環Ｙが、イミダゾール、トリアゾールおよびピリジンからなる群から選択される、請求項１から５のいずれか１項に記載の化合物、
または薬学的に許容されるその塩。
【請求項７】
環Ｙが、イミダゾールである、請求項６に記載の化合物、
または薬学的に許容されるその塩。
【請求項８】
環Ｙが、トリアゾールである、請求項６に記載の化合物、
または薬学的に許容されるその塩。
【請求項９】
環Ｙが、ピリジンである、請求項６に記載の化合物、
または薬学的に許容されるその塩。
【請求項１０】
Ｒ2が存在しないか、またはＯＨ、−Ｏ−（Ｃ1-6）アルキル、−Ｏ−アリール、および−Ｏ−（Ｃ1-6）アルキル−アリールからなる群から独立して選択される置換基により一置換、二置換、または三置換されていてもよい（Ｃ1-6）アルキルである、請求項１から９のいずれか１項に記載の化合物、
または薬学的に許容されるその塩。
【請求項１１】
Ｒ2が存在しない、請求項１０に記載の化合物、
または薬学的に許容されるその塩。
【請求項１２】
Ｒ3が、ハロ、（Ｃ1-6）ハロアルキル、−ＣＮ、または（Ｃ1-6）アルキルである、請求項１から１１のいずれか１項に記載の化合物、
または薬学的に許容されるその塩。
【請求項１３】
Ｒ3が、ハロまたは（Ｃ1-6）ハロアルキルである、請求項１２に記載の化合物、
または薬学的に許容されるその塩。
【請求項１４】
ｎが、０、１または２である、請求項１から１３のいずれか１項に記載の化合物、
または薬学的に許容されるその塩。
【請求項１５】
ｎが、１または２である、請求項１４に記載の化合物、
または薬学的に許容されるその塩。
【請求項１６】
請求項１から１５のいずれか１項に記載の化合物、または薬学的に許容されるその塩を含む、医薬組成物。
【請求項１７】
ＣＭＶ疾患および／もしくは感染症の処置または予防用の、請求項１から１５のいずれか１項に記載の化合物または薬学的に許容されるその塩を含む、医薬組成物。
【手続補正書】
【提出日】平成28年10月28日(2016.10.28)
【手続補正１】
【補正対象書類名】特許請求の範囲
【補正対象項目名】全文
【補正方法】変更
【補正の内容】
【特許請求の範囲】
【請求項１】
対象におけるホスホイノシチド3-キナーゼ(PI3K)の1以上のアイソフォームの高い発現レベルを有する特定の癌又は血液悪性腫瘍を治療する方法であって、PI3Kの他のアイソフォームと比べてPI3Kの該1以上のアイソフォームの活性を選択的に低下させるPI3Kモジュレーターを投与することを含む、前記方法。
【手続補正書】
【提出日】平成28年11月4日(2016.11.4)
【手続補正１】
【補正対象書類名】特許請求の範囲
【補正対象項目名】全文
【補正方法】変更
【補正の内容】
【特許請求の範囲】
【請求項１】
配列番号６のアミノ酸配列を含む、３５アミノ酸長以下の非スプライシング型ＸＢＰ１ペプチド、
配列番号１０のアミノ酸配列を含む、３５アミノ酸長以下のスプライシング型ＸＢＰ１ペプチド、および
配列番号１２のアミノ酸配列を含む、３５アミノ酸長以下のＣＤ１３８ペプチド
を含む組成物であって、乳がん、結腸がん、膵がん、前立腺がんもしくは白血病を有する被験体において免疫応答を誘導すること、および／または被験体における乳がん、結腸がん、膵がん、前立腺がんもしくは白血病を処置することにおいて使用するための組成物。
【請求項２】
配列番号１６のアミノ酸配列を含む、３５アミノ酸長以下のＣＳ−１ペプチドをさらに含む、請求項１に記載の組成物。
【請求項３】
前記非スプライシング型ＸＢＰ１ペプチドが、配列番号６のアミノ酸配列からなり、
前記スプライシング型ＸＢＰ１ペプチドが、配列番号１０のアミノ酸配列からなり、および
前記ＣＤ１３８ペプチドが、配列番号１２のアミノ酸配列からなる、
請求項１または２に記載の組成物。
【請求項４】
前記非スプライシング型ＸＢＰ１ペプチドが、配列番号６のアミノ酸配列からなり、
前記スプライシング型ＸＢＰ１ペプチドが、配列番号１０のアミノ酸配列からなり、
前記ＣＤ１３８ペプチドが、配列番号１２のアミノ酸配列からなり、および
前記ＣＳ−１ペプチドが、配列番号１６のアミノ酸配列からなる、
請求項２に記載の組成物。
【請求項５】
前記乳がんが、エストロゲンレセプター陽性乳がん、エストロゲンレセプター陰性乳がん、ＨＥＲ−２陽性乳がん、ＨＥＲ−２陰性乳がん、トリプルネガティブ乳がんまたは炎症性乳がんである、請求項１〜４のいずれかに記載の組成物。
【請求項６】
化学療法剤、電離放射線または免疫療法剤のうちの１つ以上から選択されるさらなる処置と組み合わせて投与するために製剤化される、請求項１〜５のいずれかに記載の組成物。
【請求項７】
１つ以上の免疫刺激剤および／または１つ以上の免疫調節剤を組み合わせて投与するために製剤化される、請求項１〜６のいずれかに記載の組成物。
【請求項８】
前記１つ以上の免疫刺激剤が、カルボキシメチルセルロース、ポリイノシン酸−ポリシチジル酸およびポリ−Ｌ−リジン二本鎖ＲＮＡを含むアジュバント；水と油のエマルジョンを含むアジュバント；ならびにタンパク質を含むアジュバントから選択される、請求項７に記載の組成物。
【請求項９】
前記１つ以上の免疫調節剤が、免疫系を活性化する抗体および小分子アジュバントから選択される、請求項７に記載の組成物。
【請求項１０】
カルボキシメチルセルロース、ポリイノシン酸−ポリシチジル酸およびポリ−Ｌ−リジン二本鎖ＲＮＡを含む前記アジュバントがポリＩＣＬＣである、請求項８に記載の組成物。
【請求項１１】
水と油のエマルジョンを含む前記アジュバントがモンタナイドである、請求項８に記載の組成物。
【請求項１２】
前記小分子アジュバントがサリドマイド誘導体である、請求項９に記載の組成物。
【請求項１３】
前記小分子アジュバントがレナリドマイドである、請求項９に記載の組成物。
【請求項１４】
抗ＰＤ−１抗体、抗ＰＤＬ−１抗体またはＨＤＡＣ阻害剤と組み合わせて使用するための、請求項１〜１３のいずれかに記載の組成物。
【請求項１５】
配列番号６のアミノ酸配列を含む、３５アミノ酸長以下の非スプライシング型ＸＢＰ１ペプチド、
配列番号１０のアミノ酸配列を含む、３５アミノ酸長以下のスプライシング型ＸＢＰ１ペプチド、および
配列番号１２のアミノ酸配列を含む、３５アミノ酸長以下のＣＤ１３８ペプチド
を含む組成物であって、がんもしくは前がん状態を有する被験体において免疫応答を誘導すること、および／または被験体におけるがんもしくは前がん状態を処置することにおいて、抗ＰＤ−１抗体、抗ＰＤＬ−１抗体またはＨＤＡＣ阻害剤と組み合わせて使用するための組成物。
【請求項１６】
前記がんが多発性骨髄腫もしくは乳がん、例えば、トリプルネガティブ乳がんであるか、または前記前がん状態がくすぶり型多発性骨髄腫である、請求項１５に記載の組成物。
【請求項１７】
配列番号２９〜５０のいずれかのアミノ酸配列を含む、３５アミノ酸長以下のペプチド。
【請求項１８】
請求項１７に記載のペプチドを含む、薬学的組成物。
【手続補正書】
【提出日】平成28年10月3日(2016.10.3)
【手続補正１】
【補正対象書類名】特許請求の範囲
【補正対象項目名】全文
【補正方法】変更
【補正の内容】
【特許請求の範囲】
【請求項１】
３−（１−｛３−[５−（１−メチル−ピペリジン−４−イルメトキシ）−ピリミジン−２−イル]−ベンジル｝−６−オキソ−１，６−ジヒドロ−ピリダジン−３−イル）−ベンゾニトリルまたはその薬学的に許容される塩および／または溶媒和物を含む、肝細胞癌（ＨＣＣ）の処置に使用するための医薬。
【請求項２】
３−（１−｛３−[５−（１−メチル−ピペリジン−４−イルメトキシ）−ピリミジン−２−イル]−ベンジル｝−６−オキソ−１，６−ジヒドロ−ピリダジン−３−イル）−ベンゾニトリル塩酸塩水和物を含む、肝細胞癌（ＨＣＣ）の処置に使用するための医薬。
【請求項３】
３−（１−｛３−[５−（１−メチル−ピペリジン−４−イルメトキシ）−ピリミジン−２−イル]−ベンジル｝−６−オキソ−１，６−ジヒドロ−ピリダジン−３−イル）−ベンゾニトリルが１日に１００ｍｇ〜８００ｍｇの量で患者に投与される、請求項１または２に記載の医薬。
【請求項４】
経口投与される、請求項１〜３のいずれか一項に記載の医薬。
【請求項５】
肝細胞癌（ＨＣＣ）の処置のための医薬の製造のための３−（１−｛３−[５−（１−メチル−ピペリジン−４−イルメトキシ）−ピリミジン−２−イル]−ベンジル｝−６−オキソ−１，６−ジヒドロ−ピリダジン−３−イル）−ベンゾニトリルまたはその薬学的に許容される塩および／または溶媒和物の使用。
【請求項６】
肝細胞癌（ＨＣＣ）の処置のための医薬の製造のための３−（１−｛３−[５−（１−メチル−ピペリジン−４−イルメトキシ）−ピリミジン−２−イル] −ベンジル｝−６−オキソ−１，６−ジヒドロ−ピリダジン−３−イル）−ベンゾニトリル塩酸塩水和物の使用。
【請求項７】
化合物が、１日に１００ｍｇ〜８００ｍｇの量で患者に投与される、請求項５または６に記載の使用。
【請求項８】
化合物が、経口投与される、請求項５〜７のいずれか一項に記載の使用。